(57)【特許請求の範囲】
【請求項１】
複数の入出力手段が入力されたデータをノンリニアアクセスが可能な記録媒体に書き込み、上記記録媒体に書き込まれたデータを読み出すデータ記録再生装置において、
少なくとも記録媒体からのデータの読み出しの制御および記録媒体に書き込まれたデータの編集開始点および編集終了点の指定を所定の操作に基づき指示する操作手段と、
記録媒体から読み出されたデータを上記操作手段による編集開始点の指定に基づくタイミングで編集開始点画像表示領域に表示される動画像からキャプチャし、キャプチャされた上記編集開始点のデータを保持すると共に、上記操作手段による編集終了点の指定に基づくタイミングで編集終了点画像表示領域に表示される動画像からキャプチャし、キャプチャされた上記編集終了点のデータを保持するデータ保持手段と、
上記データ保持手段に保持された上記編集開始点のデータおよび上記編集終了点のデータをそれぞれ、上記編集開始点画像表示領域および上記編集終了点画像表示領域に表示する表示手段と
を有し、
上記操作手段と上記表示手段とは同一コントロールパネル上に配置されることを特徴とするデータ記録再生装置。
【請求項２】
複数の入出力手段が入力されたデータをノンリニアアクセスが可能な記録媒体に書き込み、上記記録媒体に書き込まれたデータを読み出すデータ記録再生装置でのデータ表示方法において、
少なくとも記録媒体からのデータの読み出しの制御および記録媒体に書き込まれたデータの編集開始点および編集終了点の指定を操作手段の所定の操作に基づき指示する操作のステップと、
記録媒体から読み出されたデータを上記操作のステップによる編集開始点の指定に基づくタイミングで編集開始点画像表示領域に表示される動画像からキャプチャし、キャプチャされた上記編集開始点のデータをデータ保持手段に保持すると共に、上記操作のステップによる編集終了点の指定に基づくタイミングで編集終了点画像表示領域に表示される動画像からキャプチャし、キャプチャされた上記編集終了点のデータをデータ保持手段に保持するデータ保持のステップと、
上記データ保持手段に保持された上記編集開始点のデータおよび上記編集終了点のデータをそれぞれ、上記編集開始点画像表示領域および上記編集終了点画像表示領域に表示する表示のステップと
を有し、
上記操作手段と上記表示手段とは同一コントロールパネル上に配置されることを特徴とするデータ表示方法。
【発明の詳細な説明】
【０００１】
【発明の属する技術分野】
この発明は、ノンリニアアクセスが可能な記録媒体にオーディオおよび／またはビデオデータを蓄積すると共に、入力されたビデオデータの表示および／または蓄積されたビデオデータを再生し表示を行うようにしたデータ記録再生装置およびデータ表示方法に関する。
【０００２】
【従来の技術】
近年では、テレビジョン放送において映像および音声信号をディジタル方式で伝送する、ディジタル放送などの普及により、情報提供の多チャンネル化が進行している。多チャンネル化に伴い、１台のビデオデータおよび／またはオーディオデータ（以下、Ａ／Ｖデータと記述する）記録再生装置によって、複数のＡ／Ｖデータの並列的な記録および再生、ならびに、記録しながらの再生などを行うことが要求されてきている。そして、この要求を満たすために、ハードディスクなどのランダムアクセス可能な記録媒体を用いてＡ／Ｖデータを記録するビデオサーバ（以下、Ａ／Ｖ(Audio and/or Video)サーバと記述する）と称される装置が普及しつつある。
【０００３】
Ａ／Ｖサーバでは、それぞれ独立にＡ／Ｖデータの入出力を有する複数の入出力を有する。また、Ａ／Ｖサーバは、ＲＳ−４２２などを通信規格としたインターフェイスを有し、専用の編集装置やパーソナルコンピュータといった、外部コントローラによって、外部から動作の制御がなされる。Ａ／Ｖサーバに蓄積されたＡ／Ｖデータや入力ポートに入力されるＡ／Ｖデータは、上述のコントロール装置やパーソナルコンピュータによる操作に基づき、Ａ／Ｖサーバに接続されたモニタによって確認することができる。
【０００４】
Ａ／Ｖサーバに接続された外部コントローラによって、入力されたＡ／Ｖデータの記録媒体への記録や、記録媒体に蓄積されたＡ／Ｖデータの編集作業などが行われる。編集作業は、例えば、接続されたモニタに表示される、記録媒体から読み出され再生された再生映像を確認しながら、外部コントローラによって所望のＩＮ点およびＯＵＴ点を設定する。ＩＮ点およびＯＵＴ点の設定は、外部コントローラを用い、例えば、最初は大まかにそれぞれの位置を指定し、次にフレーム単位での再生を行い、正確な位置を決定する。編集されたＩＮ点からＯＵＴ点までのＡ／Ｖデータは、例えば外部に送出される。編集結果を新たなＡ／Ｖデータとして記録媒体に蓄積することも行われる。
【０００５】
【発明が解決しようとする課題】
従来では、このように、モニタと外部コントローラとが個別に設けられていた。そのため、編集作業を行う編集オペレータは、編集作業時に、モニタから外部コントローラへ、あるいは、外部コントローラからモニタへと一々視線を移さねばならず、操作がしづらかったという問題点があった。
【０００６】
一方、Ａ／Ｖサーバを、例えばスポーツ中継のように野外で使用することも考えられる。この場合では、中継車などのように限られたスペースに、Ａ／Ｖサーバを設置すると共に、モニタおよび外部コントローラを設置するスペースが必要であるという問題点があった。
【０００７】
さらに、Ａ／Ｖサーバと共にモニタを持ち運ばなければならないので、可搬性に欠けるという問題点があった。
【０００８】
したがって、この発明の目的は、記録媒体に蓄積されたＡ／Ｖデータを、編集作業を行うのに好適に表示するようにされたデータ記録再生装置およびデータ表示方法を提供することにある。
【０００９】
また、この発明の他の目的は、記録媒体に蓄積されたＡ／Ｖデータを、省スペースの構成で表示するようにされたデータ記録再生装置および映像表示方法を提供することにある。
【００１２】
この発明は、上述の課題を解決するために、複数の入出力手段が入力されたデータをノンリニアアクセスが可能な記録媒体に書き込み、記録媒体に書き込まれたデータを読み出すデータ記録再生装置において、
少なくとも記録媒体からのデータの読み出しの制御および記録媒体に書き込まれたデータの編集開始点および編集終了点の指定を所定の操作に基づき指示する操作手段と、
記録媒体から読み出されたデータを操作手段による編集開始点の指定に基づくタイミングで編集開始点画像表示領域に表示される動画像からキャプチャし、キャプチャされた編集開始点のデータを保持すると共に、操作手段による編集終了点の指定に基づくタイミングで編集終了点画像表示領域に表示される動画像からキャプチャし、キャプチャされた編集終了点のデータを保持するデータ保持手段と、
データ保持手段に保持された編集開始点のデータおよび編集終了点のデータをそれぞれ、編集開始点画像表示領域および編集終了点画像表示領域に表示する表示手段と
を有し、
操作手段と表示手段とは同一コントロールパネル上に配置されることを特徴とするデータ記録再生装置である。
【００１５】
また、この発明は、複数の入出力手段が入力されたデータをノンリニアアクセスが可能な記録媒体に書き込み、記録媒体に書き込まれたデータを読み出すデータ記録再生装置でのデータ表示方法において、
少なくとも記録媒体からのデータの読み出しの制御および記録媒体に書き込まれたデータの編集開始点および編集終了点の指定を操作手段の所定の操作に基づき指示する操作のステップと、
記録媒体から読み出されたデータを操作のステップによる編集開始点の指定に基づくタイミングで編集開始点画像表示領域に表示される動画像からキャプチャし、キャプチャされた編集開始点のデータをデータ保持手段に保持すると共に、操作のステップによる編集終了点の指定に基づくタイミングで編集終了点画像表示領域に表示される動画像からキャプチャし、キャプチャされた編集終了点のデータをデータ保持手段に保持するデータ保持のステップと、
データ保持手段に保持された編集開始点のデータおよび編集終了点のデータをそれぞれ、編集開始点画像表示領域および編集終了点画像表示領域に表示する表示のステップと
を有し、
操作手段と表示手段とは同一コントロールパネル上に配置されることを特徴とするデータ表示方法である。
【００１８】
また、請求項１および請求項２に記載のこの発明は、少なくとも記録媒体からのデータの読み出しの制御および記録媒体に書き込まれたデータの編集の制御を所定の操作に基づき指示する操作手段と、記録媒体から読み出され操作手段による編集の制御に基づくタイミングでキャプチャされたデータを表示する表示手段とが同一コントロールパネル上に配置されているため、操作手段を操作しながら、容易に編集の制御に基づくタイミングでキャプチャされたデータを確認することができる。
【００１９】
【発明の実施の形態】
以下、この発明の実施の一形態について図面を参照して詳細に説明する。この実施の一形態に係るデータ記録再生装置は、ＡＶデータの記録再生、入出力および編集の機能を有し、１台の装置で編集作業を行うことを可能とした装置である。
【００２０】
図１は、この発明の一実施の形態に係るデータ記録再生装置の外観を示す斜視図である。このデータ記録再生装置は、複数の入出力ポートを有し、オーディオデータおよび／またはビデオデータ（以下、Ａ／Ｖ(Audio and/or Video)データと称する）の記録ならびに蓄積、および、蓄積されたＡ／Ｖデータの再生を並列的に行うことができるようにされた、Ａ／Ｖサーバとして構成される。
【００２１】
この実施の一形態に係るデータ記録再生装置１は、１つの筐体２を備えている。この筐体２は、例えば１台のＶＴＲと同等の大きさである。筐体２の前面には、上側にメータパネル３が設けられ、下側にコントロールパネル４が設けられている。コントロールパネル４は、筐体２に対して取り外し可能になっている。なお、コントロールパネル４は、筐体２から取り外して、使用しないようにすることもできるし、筐体２から取り外し、ケーブルによって筐体２内の回路と接続して、筐体２から取り外した状態で使用することもできるようになっている。
【００２２】
図２は、図１に示したメータパネル３とコントロールパネル４における主要な部分を示す正面図である。この実施の一形態に係るデータ記録再生装置１は、Ａ／Ｖデータの入力を行うための入力部またはＡ／Ｖデータの出力を行うための出力部としての４つのポートを備えている。各ポートは、それぞれビデオデータと４チャンネルまたは８チャンネルのオーディオデータの入力または出力が可能になっている。
【００２３】
図２に示したメータパネル３は、４つのポートの動作状態を表示するための表示部１１を備えている。この表示部１１は、各ポートに対応した４つの表示領域１１Ａ〜１１Ｄを有している。表示領域１１Ａ〜１１Ｄは、それぞれ、表示部１１における左上、右上、左下、右下の部分に配置されている。各表示領域１１Ａ〜１１Ｄは、それぞれ、４チャンネル分のオーディオレベルメータを表示するためのオーディオレベルメータ部１２と、タイムコード等を表示するためのドットマトリクス部１３と、各ポートの現在の動作状態（再生中、記録中等）を表示するための状態表示部１４と、表示されているタイムコードの種類等の各種の情報を表示するための情報表示部１５とを有している。
【００２４】
なお、オーディオレベルメータ部１２には、各チャンネル毎のオーディオレベルメータの下側に、対応するチャンネルの番号が表示されるようになっている。また、後述するスイッチを操作することにより、オーディオレベルメータ部１２には、第１チャンネルから第４チャンネルまでの４つのオーディオレベルメータと、第５チャンネルから第８チャンネルまでの４つのオーディオレベルメータのいずれかが、選択的に表示されるようになっている。なお、表示の切り替えは、図示しないスイッチの操作に応じてなされるようになっている。
【００２５】
また、この実施の一形態に係るデータ記録再生装置１では、各ポート毎に、Ａ／Ｖデータの入力の選択や、オーディオデータの記録または再生のレベルの調整や、オーディオデータをモニタするチャンネルの選択等の各種の操作を行うことができるようになっている。メータパネル３には、このような操作の対象となるポートを選択するための４つのポート選択スイッチ１６が設けられている。
【００２６】
メータパネル３には、更に、オーディオデータの記録または再生のレベルの調整を行うための４つのロータリエンコーダ１７と、ビデオプロセスの調整を行うためのロータリエンコーダ１８とが設けられている。
【００２７】
一方、図２に示され、図３により詳細に示されるコントロールパネル４は、編集作業に必要な各種のスイッチや、編集作業に用いる画像等を表示するための表示部２００を含む操作・表示部２１を備えている。表示部２００には、編集作業に用いる画像や、記録中の画像が動画像あるいは静止画像として表示されると共に、画像ファイルのリスト表示や画像に属性情報などが表示される。さらに、表示部２００の左端および下端には、操作・表示部２１に配置された複数のソフトキーＬ１〜Ｌ１１、Ｆ１〜Ｆ７にそれぞれ対応したメニューが表示される。モードキー２０１は、動作モードを切り替えるためのキーであり、シフトキー２０２は、他のキーと共に用いられる補助キーである。
【００２８】
また、コントロールパネル４には、ポート選択スイッチ１６と同様に、操作の対象となるポートを選択するための４つのポート選択スイッチ２２が設けられている。コントロールパネル４には、更に、記録を指示するスイッチ２３、巻き戻しを指示するためのスイッチ２４、再生を指示するためのスイッチ２５、早送りを指示するためのスイッチ２６および停止を指示するためのスイッチ２７が設けられている。スイッチ２０３は、編集モードに移行するためのスイッチである。また、この実施の一形態に係るデータ記録再生装置１は、最大２台までの外部のＶＴＲを遠隔操作することができるようになっている。コントロールパネル４には、遠隔操作する外部のＶＴＲを選択するための２つのスイッチ２８が設けられている。
【００２９】
さらに、コントロールパネル４には、２つのダイヤル２９および２０４が設けられる。ダイヤル２９は、Ａ／Ｖデータの再生速度と時系列的な再生方向とを指示するダイアルであって、３個の選択スイッチ２０５により指示モードが選択される。また、ダイヤル２０４は、マルチコントローラと称され、回転ならびに押下することで所定の制御を行うロータリエンコーダである。例えば、ダイヤル２０４を操作することによって、表示部２００に表示されるリスト表示に基づく選択や指示を行うことができる。
【００３０】
さらにまた、コントロールパネル４には、編集時にＩＮ点およびＯＵＴ点を指定するための複数のスイッチ２０６Ａ、２０６Ｂ、２０７および２０８が設けられる。それぞれ２つずつのスイッチ２０６Ａあるいは２０６Ｂで、ＩＮ点よおびＯＵＴ点の指定が行われる。スイッチ２０６Ａ、２０６Ｂをエントリスイッチ２０７と同時に押下することで、ＩＮ点およびＯＵＴ点が指定される。オートエディットスイッチ２０８は、これらの指定を予め設定された条件に基づいて自動的に行う指示を出す。
【００３１】
図４は、この実施の一形態に係るデータ記録再生装置１の回路構成を示すブロック図である。この実施の一形態に係るデータ記録再生装置１は、Ａ／Ｖデータを転送するためのデータバス３０Ａおよびコマンドを転送するためのＣＰＵバス３０Ｂとを備えている。バス３０Ａおよび３０Ｂには、それぞれ、タイミング管理部３１、情報管理部３２、記録再生部３３、データ管理部３４Ａ〜３４Ｄおよび制御部３６が接続されている。データ管理部３４Ａ〜３４Ｄには、それぞれ、データ入出力部３７Ａ〜３７Ｄが接続されている。制御部３６には、特殊効果部（エフェクタ）３９が接続されている。また、制御部３６には、メータパネル３が接続され、タイミング管理部３１には、コントロールパネル４が接続されている。各部３１〜３９は、例えば別個の基板によって構成されている。
【００３２】
タイミング管理部３１は、タイミングパルス発生器４１を有している。タイミングパルス発生器４１は、タイミングパルスを発生し、タイミングパルスを必要とする各回路に供給するようになっている。タイミングパルス発生部４１には、外部からの基準ビデオ信号Ｖref が入力されるようになっている。タイミング管理部３１は、更に、コントロールパネル４と内部バス３０とを接続するためのインタフェース（図では、Ｉ／Ｆと記す。）４２を有している。
【００３３】
情報管理部３２は、記録媒体におけるファイルの記録領域を示すファイル管理情報を保持し、このファイル管理情報に基づいてファイルの管理を行うファイル管理部４３と、イーサネット等の外部のネットワークに接続され、外部のネットワークとの間でデータの入出力を行うネットワークドライバ４４とを有している。
【００３４】
記録再生部３３は、ビデオデータを記録するための複数のハードディスク装置（以下、ＨＤＤと記す。）４５に接続され、これらのＨＤＤ４５を制御するビデオ用ディスクアレイコントローラ４７と、オーディオデータを記録するための複数のＨＤＤ４６に接続され、これらのＨＤＤ４６を制御するオーディオ用ディスクアレイコントローラ４８と、これらのディスクアレイコントローラ４７，４８と内部バス３０との間に設けられ、データを一時的に記憶するためのバッファメモリ４９とを有している。ここでは、ビデオデータ用のＨＤＤ４５は、９台設けられ、そのうちの８台はＡ／Ｖデータの記録用で、１台はパリティデータの記録用になっている。９台のＨＤＤ４５とビデオ用ディスクアレイコントローラ４７は、ＲＡＩＤ（Redutant Arrays of Inexpensive Disks）３の構成になっている。一方、オーディオデータ用のＨＤＤ４６は、２台設けられている。２台のＨＤＤ４６とオーディオ用ディスクアレイコントローラ４８は、ＲＡＩＤ１の構成になっている。
【００３５】
制御部３６は、編集部５１と、メータパネル３、内部バス３０とを接続するためのインタフェース（図では、Ｉ／Ｆと記す。）５２およびＣＰＵ８１を有している。ＣＰＵ８１は、ＣＰＵバス３０Ｂと接続されており、ＣＰＵバス３０Ｂに接続された他の構成と通信を行うことができる。なお、インタフェース５２には、外部からの編集コマンドＣE も入力できるようになっている。編集部５１は、マトリクススイチャとオーディオミキサの機能を有している。また、編集部５１は、特殊効果部３９に接続され、特殊効果部３９に対してデータを出力するための２つのデータ出力経路と、特殊効果部３９からデータを入力するための１つのデータ入力経路とを有している。また、編集部５１は、モニタ用のデータＤM を出力できるようになっている。
【００３６】
特殊効果部３９は、ディゾルブ、ワイプ等の特殊効果を得るための処理を行うようになっている。
【００３７】
データ入出力部３７Ａ〜３７Ｄは、それぞれ端子６１Ａ〜６１Ｄに接続されている。ここで、端子６１Ａはデータ入力端子、端子６１Ｂ〜６１Ｄはデータ出力端子であるものとする。また、端子６１Ａ〜６１Ｄによって入出力されるＡ／Ｖデータは、例えば、シリアルディジタルインタフェース（以下、ＳＤＩと記す。）規格に従ったディジタルデータである。
【００３８】
データ入出力部３７Ａおよびデータ管理部３４Ａは、１つのポート６０Ａを構成し、データ入出力部３７Ｂおよびデータ管理部３４Ｂは、１つのポート６０Ｂを構成し、データ入出力部３７Ｃおよびデータ管理部３４Ｃは、１つのポート６０Ｃを構成し、データ入出力部３７Ｄおよびデータ管理部３４Ｄは、１つのポート６０Ｄを構成している。
【００３９】
データ入出力部３７Ａは、ＳＤＩ規格のデータを圧縮するエンコーダ６２と、２入力１出力の切り替えスイッチ６４を有している。スイッチ６４の一方の入力端は端子６１Ａに接続され、他方の入力端は編集部５１に接続され、出力端はエンコーダ６２の入力端に接続されている。なお、端子６１Ａは、編集部５１にも接続されている。
【００４０】
データ入出力部３７Ｂは、圧縮されたデータを伸長してＳＤＩ規格のデータに変換するデコーダ６３と、２入力１出力の切り替えスイッチ６５を有している。スイッチ６５の一方の入力端はデコーダ６３の出力端に接続され、他方の入力端は編集部５１に接続され、出力端は端子６１Ｂに接続されている。なお、デコーダ６３の出力端は、編集部５１にも接続されている。
【００４１】
データ入出力部３７Ｃは、圧縮されたデータを伸長してＳＤＩ規格のデータに変換するデコーダ７２と、２入力１出力の切り替えスイッチ７４を有している。スイッチ７４の一方の入力端はデコーダ７２の出力端に接続され、他方の入力端は編集部５１に接続され、出力端は端子６１Ｃに接続されている。なお、デコーダ７２の出力端は、編集部５１にも接続されている。
【００４２】
データ入出力部３７Ｄは、圧縮されたデータを伸長してＳＤＩ規格のデータに変換するデコーダ７３と、２入力１出力の切り替えスイッチ７５を有している。スイッチ７５の一方の入力端はデコーダ７３の出力端に接続され、他方の入力端は編集部５１に接続され、出力端は端子６１Ｄに接続されている。なお、デコーダ７３の出力端は、編集部５１にも接続されている。
【００４３】
データ管理部３４Ａは、データ入出力部３７Ａのエンコーダ６２の出力端と内部バス３０との間に介挿されたバッファメモリ６６を有している。データ管理部３４Ｂは、内部バス３０とデータ入出力部３７Ｂのデコーダ６３の入力端との間に介挿されたバッファメモリ６７を有している。データ管理部３４Ｃは、内部バス３０とデータ入出力部３７Ｃのデコーダ７２の入力端との間に介挿されたバッファメモリ７６を有している。データ管理部３４Ｄは、内部バス３０とデータ入出力部３７Ｄのデコーダ７３の入力端との間に介挿されたバッファメモリ７７を有している。
【００４４】
なお、データ管理部３４Ａは、ＣＰＵ８０Ａを有し、ＣＰＵバス３０Ｂによって接続されている他の構成と通信を行うことができる。同様に、データ管理部３４Ｂ、３４Ｃおよび３４Ｄは、それぞれＣＰＵ８０Ｂ、８０Ｃおよび８０Ｄを有し、ＣＰＵバス３０Ｂによって接続されている他の構成と通信を行うことができる。
【００４５】
データ管理部３４Ａには、外部からの記録コマンドＣR を入力できるようになっている。データ管理部３４Ａは、記録コマンドＣR に応じて、端子６１Ａに入力されたデータを記録再生部３３に転送し、記録させる処理を制御するようになっている。データ管理部３４Ｂ〜３４Ｄには、外部からの再生コマンドＣP を入力できるようになっている。データ管理部３４Ｂ〜３４Ｄは、再生コマンドＣP に応じて、記録再生部３３によってデータを再生させ、このデータを端子６１Ｂ〜６１Ｄに転送する処理を制御するようになっている。
【００４６】
図４における各部３１〜３９は、それぞれ、ＣＰＵ（中央処理装置）、ＲＯＭ（リード・オンリ・メモリ）およびＲＡＭ（ランダム・アクセス・メモリ）を含むマイクロコンピュータを有している。
【００４７】
データ管理部３４Ａ〜３４Ｄは、タイムスロットを用いて、各ポート６０Ａ〜６０Ｄ毎の、記録再生装置３３に対するアクセスを時分割で行うようになっている。
【００４８】
なお、データ入出力部３７Ａ〜３７Ｄおよびデータ管理部３４Ａ〜３４Ｄは、それぞれ、他の種類のデータ入出力部およびデータ管理部に取り替えることができるようになっている。例えば、出力型のデータ入出力部３７Ｂおよびデータ管理部３４Ｂ、データ入出力部３７Ｃおよびデータ管理部３４Ｃ、データ入出力部３７Ｄおよびデータ管理部３４Ｄのいずれかの組を、データ入出力部３７Ａおよびデータ管理部３４Ａの組のような入力型のデータ入出力部およびデータ管理部に取り替えることができる。このようにした場合には、データ記録再生装置１は、２つの入力ポートと２つの出力ポートを有する装置となる。
【００４９】
次に、この実施の一形態に係るデータ記録再生装置１の動作について説明する。まず、外部より入力されたＡ／Ｖデータを記録するときの動作について説明する。このときには、端子６１Ａにデータが入力される。このデータは、データ入出力部３７Ａ内のスイッチ６４を経て、エンコーダ６２に入力されて圧縮される。圧縮されたデータは、データ管理部３４Ａ内のバッファメモリ６６に一時的に記憶される。データ管理部３４Ａは、自己に割り当てられたタイムスロットの期間において、記録再生部３３にアクセスし、バッファメモリ６６に記憶されたデータを、内部バス３０を介して、記録再生部３３に転送する。
【００５０】
記録再生部３３では、転送されてきたデータは、バッファメモリ４９に一時的に記憶された後、読み出される。バッファメモリ４９より読み出されたデータのうち、ビデオデータはビデオ用ディスクアレイコントローラ４７に入力され、オーディオデータはオーディオ用ディスクアレイコントローラ４８に入力される。ビデオ用ディスクアレイコントローラ４７は、入力されたビデオデータを、所定の単位で分割し、且つパリティデータを計算し、分割されたデータおよびパリティデータを複数のＨＤＤ４５に記録する。また、オーディオ用ディスクアレイコントローラ４８は、入力されたオーディオデータを、２つのＨＤＤ４６に対して記録する。
【００５１】
次に、記録されているデータを外部に出力するときの動作について説明する。このときには、データ管理部３４Ｂ〜３４Ｄのいずれかが、自己に割り当てられたタイムスロットの期間において、記録再生部３３にアクセスし、記録再生部３３に対して、データの再生を要求する。データ再生部３３では、ビデオ用ディスクアレイコントローラ４７が、複数のＨＤＤ４５より分割されたビデオデータおよびパリティデータを読み出し、分割されたデータを単一化すると共に、パリティデータに基づいてエラー検出およびエラー訂正を行って、ビデオデータを再生する。また、オーディオ用ディスクアレイコントローラ４８は、２つのＨＤＤ４６のうち、エラーのないＨＤＤ４６より、オーディオデータを再生する。再生されたビデオデータおよびオーディオデータは、バッファメモリ４９に一時的に記憶された後、読み出されて、内部バス３０を介して、データ管理部３４Ｂ〜３４Ｄのいずれかに転送される。
【００５２】
データを、端子６１Ｂより外部に出力する場合には、再生されたデータは、データ管理部３４Ｂのバッファメモリ６７を経て、データ入出力部３７Ｂ内のデコーダ６３によって伸長され、スイッチ６５を経て、端子６１Ｂより外部に出力される。データを、端子６１Ｃより外部に出力する場合には、再生されたデータは、データ管理部３４Ｃのバッファメモリ７６を経て、データ入出力部３７Ｃ内のデコーダ７２によって伸長され、スイッチ７４を経て、端子６１Ｃより外部に出力される。データを、端子６１Ｄより外部に出力する場合には、再生されたデータは、データ管理部３４Ｄのバッファメモリ７７を経て、データ入出力部３７Ｄ内のデコーダ７３によって伸長され、スイッチ７５を経て、端子６１Ｄより外部に出力される。
【００５３】
なお、この実施の一形態に係るデータ記録再生装置１では、データ管理部３４Ａ〜３４Ｄが時分割で動作するので、３つの端子６１Ｂ〜６１Ｄより、同じデータあるいは異なるデータを同時に出力することが可能である。
【００５４】
次に、データの編集を行うときの動作について説明する。制御部３６の編集部５１は、外部より入力されたデータと記録再生部３３によって再生されたデータとの少なくとも一方を用いてデータの編集処理を行う。すなわち、編集部５１は、端子６１Ａを介して外部より入力されたデータと、記録再生部３３によって再生され、デコーダ６３，７２，７３によって伸長された各出力データを入力することができる。編集部５１は、これらのデータのうちの少なくとも１つを用い、自己が有するマトリクススイッチャやオーディオミキサを利用し、また必要に応じて特殊効果部３９を利用して、編集処理を行う。編集部５１は、ディゾルブ、ワイプ等の特殊効果を得るためのＡＢロール編集を行うことができる。
【００５５】
編集部５１は、編集処理によって得られたデータを、スイッチ６４，６５，７４，７５のいずれかに出力することができる。スイッチ６４に出力されたデータは、記録再生部３３によってＨＤＤ４５，４６に記録される。スイッチ６５，７４，７５に出力されたデータは、それぞれ端子６１Ｂ，６１Ｃ，６１Ｄより出力される。このように、編集部５１は、リニア編集を行うことができる。
【００５６】
編集部５１は、更に、編集後のデータを出力することなく、編集点のデータ等の編集情報のみを保持するノンリニア編集を行うこともできる。
【００５７】
また、この実施の一形態に係るデータ記録再生装置１では、メータパネル３を用いて、Ａ／Ｖデータの入力の選択や、オーディオデータの記録または再生のレベルの調整や、オーディオデータをモニタするチャンネルの選択等の各種の操作を行うことができる。また、メータパネル３の表示部１１によって、４つのポートの動作状態を表示することができる。
【００５８】
また、この実施の一形態に係るデータ記録再生装置１では、コントロールパネル４を用いて、編集作業に必要な操作を行うことができる。
【００５９】
次に、この実施の一形態に適用されるファイルシステムについて説明する。ファイルシステムは、サーバ部すなわち記録再生部３３において、ファイルが記録再生部３３を構成するＨＤＤ４５のどの位置に記録されたかを管理するシステムである。ファイルシステムによるファイル管理は、ファイル管理部４３で実行される。
【００６０】
ファイルシステム情報は、概略的には、
(1) ファイルエントリ情報、
(2) レコードエントリ情報、
(3) フリースペースリスト情報、
これら３つの情報から成る。図５は、これら各情報の一例の構造を概略的に示す。これらファイルエントリ情報、レコードエントリ情報およびフリースペース情報は、例えば、ファイル管理情報として情報管理部３２に保持される。
【００６１】
(1) のファイルエントリ情報は、図５Ａに一例が示されるように、ファイル名と、最初のレコードエントリ情報へのポインタ情報とが記述される。したがって、ファイルエントリ情報は、ファイル単位に設定される。ファイルエントリ情報は、そのファイルがＨＤＤ４５のどの位置から、どれだけの長さが書き込まれているかを示す情報である、後述するレコードエントリ情報へ、リンク情報に基づきリンクされる。
【００６２】
(2) のレコードエントリ情報は、図５Ｂに一例が示されるように、ＨＤＤ４５に対して実際にファイルが書き込まれた、ＨＤＤ４５上の先頭のアドレス情報と、先頭位置を示すアドレスからどれだけの長さが連続して書き込まれたかを示す、連続領域のデータ長を示すデータ長情報とが記述される。さらに、レコードエントリ情報には、次のレコードエントリ情報へのリンク情報が記述される。
【００６３】
ＨＤＤ４５では、１つのファイルが異なる領域に分断されて書き込まれる場合がある。この場合には、分断された領域毎にレコードエントリ情報が作成される。リンク情報は、分断されたファイルが書き込まれた次の領域の情報を示すレコードエントリ情報へのリンクを示す情報である、例えばポインタ情報からなる。複数のレコードエントリ情報において、リンク情報に示されるポインタ情報を次々に辿っていくことで、異なる領域に分断されたファイルのアドレス情報を把握することができる。なお、連続領域でファイルが終了している場合には、リンク情報として、例えば「ＥＯＦ(End of File) 」が書き込まれる。
【００６４】
図６は、このレコードエントリ情報によるファイルのアクセスについて、概略的に示す。ＨＤＤのアドレス空間に対して、ファイル名「Ａ」のファイルが図６Ａに一例が示されるように書き込まれているものとする。すなわち、ファイル「Ａ」は、３つに分断され、アドレス〔５０〕〜〔１００〕、アドレス〔２００〕〜〔３００〕およびアドレス〔５００〕〜〔７５０〕にそれぞれ書き込まれている。なお、以下の説明では、アドレスの数値は、記録ならびに再生時間に対応しており、例えばアドレス〔１００〕からアドレス〔２００〕までのアドレス〔１００〕分の再生長が長さ〔１００〕であると記述する。
【００６５】
図６Ｂは、図６Ａに対応したファイルエントリ情報（ＦＥ）とレコードエントリ情報（ＲＥ）の例を示す。ファイルエントリ情報には、当該ファイルのファイル名「Ａ」が記述されると共に、最初のレコードエントリ情報にリンクするためのリンク情報が記述されている。リンク情報は、例えばリンクすべき最初のレコードエントリ情報のファイル名である。あるいは、そのレコードエントリ情報が書き込まれている位置、例えばアドレスを示すポインタ情報を、直接的にリンク情報としてもよい。
【００６６】
ファイル「Ａ」が３つに分断されているこの例では、レコードエントリ情報は、３つ作成される。先ず、分断された最初の領域は、アドレス〔５０〕からんがさ〔５０〕のデータが（すなわちアドレスは〔１００〕まで）書き込まれていることが記述されている。すなわち、アドレス〔５０〕〜〔１００〕は、連続的にデータが書き込まれている。また、ファイル「Ａ」は、次の連続領域にわたって書き込まれている。リンク情報を辿ることで、ファイル「Ａ」が書き込まれた次の連続領域を示すレコードエントリ情報が参照され、アドレス〔１００〕から長さ〔１００〕のデータ、すなわち、アドレス〔１００〕〜〔２００〕の連続領域にデータが書き込まれていることが分かる。さらに、ファイル「Ａ」は、その次の連続領域にまでわたって書き込まれている。上述と同様にして、リンク情報を辿ることで、ファイル「Ａ」が書き込まれた次の連続領域を示すレコードエントリ情報が参照され、アドレス〔５００〕から長さ〔２５０〕のデータ、すなわち、アドレス〔５００〕〜〔７５０〕の連続領域にデータが書き込まれていることがわかる。ファイル「Ａ」は、アドレス〔７５０〕で終了しているので、次の連続領域へはリンクせず、対応するレコードエントリ情報には、リンク情報として「ＥＯＦ」が記述される。
【００６７】
(3) のフリースペースリスト情報は、ＨＤＤ４５上の、データが書き込まれていない領域の情報が記述される。記述方法は、上述のレコードエントリ情報に準ずる。すなわち、図５Ｃに示されるように、データが書き込まれていない領域すなわち空き領域の先頭のアドレス情報と、空き領域が連続する長さとが記述される。それと共に、次のフリースペースリスト情報へのリンク情報が記述される。リンク情報は、例えばリンクすべき最初のフリースペースリスト情報のファイル名である。あるいは、そのフリースペースリスト情報が書き込まれている位置、例えばアドレスを示すポインタ情報を、直接的にリンク情報としてもよい。
【００６８】
図６Ｃは、図６Ａに対応したフリースペースリスト情報のリンクの様子を概略的に示す。図６Ａの例では、アドレス〔０〕〜〔５０〕、アドレス〔１００〕〜〔２００〕およびアドレス〔３００〕〜〔５００〕がデータが書かれていない領域である。したがって、図６Ｃに示されるように、最初のフリースペースリスト情報は、連続した空き領域の先頭アドレスが〔０〕とされ、長さ〔５０〕の空き領域があることが記述されている。リンク情報を辿って次のフリースペースリスト情報を参照すると、空き領域の先頭アドレスが〔１００〕で、先頭アドレスから１００分の長さの空き領域があることが記述されている。さらにリンク情報を辿って次のフリースペース情報を参照すると、空き領域の先頭アドレスが〔３００〕で、先頭アドレスから長さ〔２００〕の空き領域があることが分かる。リンク情報として「ＥＯＦ」が記述されているので、このＨＤＤにはこれ以上の空き領域が存在しないことが分かる。このように、フリースペースリスト情報を、リンク情報に基づいて次々に参照していくことで、ＨＤＤ全体の空き領域を把握することができる。
【００６９】
上述したファイルエントリ情報、レコードエントリ情報およびフリースペース情報の３つの情報に基づき、この実施の一形態による、ＨＤＤ４５上のファイルを管理するファイルシステムが構成される。例えば、上述したファイル「Ａ」が既に書き込まれているＨＤＤ４５に対して、別のファイル「Ｂ」が書き込まれると、書き込まれるファイル「Ｂ」のファイル名「Ｂ」に基づきファイルエントリ情報が作成される。そして、フリースペースリスト情報を参照しながらファイル「Ｂ」がＨＤＤ４５に書き込まれる。その際、ファイル「Ｂ」の書き込みアドレスおよびデータ長に基づき、レコードエントリ情報が作成される。また、ファイル「Ｂ」が書き込まれることにより、ＨＤＤ４５上の空き領域が変化し、フリースペースリスト情報が書き替えられる。
【００７０】
これらファイルエントリ情報、レコードエントリ情報およびフリースペース情報は、例えばファイル管理部４３にファイル管理情報として登録される。
【００７１】
次に、上述したようなファイルシステムに基づきなされる、この実施の一形態によるＡ／Ｖデータの編集処理について概略的に説明する。この実施の一形態では、編集した結果を実Ａ／Ｖデータファイルとして出力せずに、編集結果を示す仮想ファイル（バーチャルファイルリスト：ＶＦＬと称する）を作成する。ＶＦＬには、Ａ／Ｖサーバ上で編集結果を再生するのに必要な情報が記述される。
【００７２】
Ａ／Ｖサーバに編集装置が接続される。なお、この実施の一形態によるＡ／Ｖサーバでは、Ａ／Ｖサーバ本体に付属されるコントロールパネル４によっても、蓄積されたＡ／Ｖデータの編集を行うことができる。以下では、Ａ／Ｖサーバに外部の編集装置が接続された場合について説明する。
【００７３】
編集装置からＡ／Ｖサーバに対して編集コマンドＣE 、再生コマンドＣP および記録コマンドＣR などの各種コマンドが供給される。Ａ／Ｖサーバに蓄積された例えばファイル名が「Ａ」のファイル（以下、ファイル「Ａ」と記述する）を編集しようとするとき、ファイル「Ａ」を示す情報を、編集装置からＡ／Ｖサーバに対して出力する。Ａ／Ｖサーバ側では、情報管理部３２に保持されているファイル管理情報に基づいてファイル「Ａ」がＨＤＤ４５上のどの領域に記録されているかがわかるため、情報管理部３２から記録再生部３３に対して再生コマンドを発行し、ファイル「Ａ」を再生する。再生されたファイル「Ａ」は、例えばバス３０Ａを介してポート６０Ｂに供給され、ポート６０Ｂから編集装置に転送される。
【００７４】
編集装置側では、転送されたファイル「Ａ」をもとに、編集装置に接続あるいは内蔵されたモニタに映出させる。編集作業を行う編集オペレータは、モニタ映像を確認しながら、Ａ／Ｖサーバに蓄積された素材のどの部分を実際に使用するかを示す編集点を、編集装置に設けられた操作手段を操作して設定する。編集作業には、再生を開始するＩＮ点および再生を終了するＯＵＴ点を設定したり、再生映像に対してワイプやディゾルブなどの特殊効果をかけるなどの、様々な処理がある。以下では、説明のため、ＩＮ点およびＯＵＴ点の設定をする場合について説明する。
【００７５】
ＩＮ点およびＯＵＴ点を編集によって設定した編集結果は、Ａ／Ｖサーバに転送される。このとき、この実施の一形態では、編集に用いたＡ／Ｖファイルのファイル名と共に、設定されたＩＮ点およびＯＵＴ点の情報だけをＡ／Ｖサーバに転送する。編集内容に基づく実Ａ／Ｖファイルは、作成しない。
【００７６】
編集結果として、上述したＶＦがＡ／Ｖサーバに転送される。このＶＦＬがＡ／Ｖサーバに転送され、情報管理部３２の図示されないメモリに格納されることで、編集作業が完了する。Ａ／Ｖサーバでは、このＶＦＬに基づきＨＤＤ４５に蓄積されたＡ／Ｖデータを読み出すことで、編集された素材が送出される。すなわち、ＶＦＬを用いることで、編集結果を新たなＡ／Ｖファイルとして記録する必要が無くなり、リアルタイムでの素材の編集ならびに編集結果の送出を行うことが可能となる。
【００７７】
図７は、ＶＦＬの構造の一例を示す。ＶＦＬには、対象となるＡ／Ｖファイルのファイル名と、そのファイルにおける再生開始位置すなわちＩＮ点の情報と、再生終了位置すなわちＯＵＴ点の情報とが記述される。再生開始位置および再生終了位置は、対象となるＡ／Ｖファイルにおけるアドレス空間の、先頭位置に対するそれぞれのアドレス情報である。
【００７８】
一例として、上述の図６Ａに示した例で、長さ〔４００〕のファイル「Ａ」に対して、ファイル先頭から長さ〔１０〕の位置をＩＮ点として、このＩＮ点から長さ〔５０〕分だけ後ろの、先頭から長さ〔６０〕の位置がＯＵＴ点とする場合、図８に示されるように、再生開始位置が〔１０〕とされ、再生終了位置が〔６０〕とされる。
【００７９】
一方、既に述べたように、ファイルは、ＨＤＤ４５上に書き込まれる際に、ＨＤＤ４５上の異なる領域に分断されて書き込まれる場合がある。分断されたファイルは、レコードエントリ情報のリンク情報を次々に辿ってレコードエントリ情報を参照することで、ファイル管理部４３によって一つの連続的なファイルとして管理される。
【００８０】
ＶＦＬに関しても同様にして、記述された再生開始位置から再生終了位置までの間がＨＤＤ４５の異なる領域に分断されて書き込まれている場合がある。図９は、この場合の処理を、上述の図６Ａに準えて示す。ファイル「Ａ」は、図９Ａに示されるように、ＨＤＤ４５上において異なる領域に分断されて記録されている。一方、ＶＦＬのアドレス空間における再生開始位置および再生終了位置は、図９Ｂのようになる。
【００８１】
ファイル管理部４３では、ファイルエントリ情報およびレコードエントリ情報に基づき、レコードエントリ情報に記述されるファイル先頭位置データと連続領域の記録長データとから、ファイル「Ａ」の、ＶＦＬに記述される再生開始位置にアクセスする。図９Ａの例では、ファイル「Ａ」の先頭位置がＨＤＤ４５のアドレス空間の、アドレス〔５０〕である。ＶＦＬによって、再生開始位置がファイル「Ａ」のアドレス空間においてアドレス〔１０〕とされているため、ＨＤＤ４５のアドレス空間におけるアドレス〔５０〕に対して長さ〔１０〕を加えた、ＨＤＤ４５のアドレス空間のアドレス〔６０〕から再生が開始される。
【００８２】
ＶＦＬの再生開始位置と再生終了位置とによって、当該レコードエントリ情報に記述される連続領域の記録長を越えた再生長が指定されているときには、レコードエントリ情報のリンク情報に基づき次のレコードエントリ情報にリンクする。図９Ａの例では、ＶＦＬで示される再生長が〔５０〕であるのに対して、最初のレコードエントリ情報で示される記録領域は、ＨＤＤ４５のアドレス空間においてアドレス〔５０〕からアドレス〔１００〕までである。再生がアドレス〔６０〕から開始されているので、ＶＦＬで指定されている再生長を再生するためには、さらに長さ〔１０〕のデータを再生しなければならない。リンク情報に基づきリンクされた次のレコードエントリ情報に示されるファイル先頭位置から、上述した長さ〔１０〕のデータが再生される。すなわち、ＨＤＤ４５のアドレス空間上で、アドレス〔２００〕からアドレス〔２１０〕までが再生される。
【００８３】
すなわち、ＶＦＬのアドレス空間におけるファイル「Ａ」の、ＶＦＬで示される再生範囲は、図９Ｂに示されるように、ＨＤＤ４５のアドレス空間上の連続領域に基づき、ＨＤＤ４５上では、長さ〔４０〕の部分と長さ〔１０〕の部分とに分断されてそれぞれ異なる領域に書き込まれていることになる。
【００８４】
一方、ＶＦＬが図１０に一例が示されるような記述であるなら、ＨＤＤ４５のアドレス空間において、実際に再生されるべきデータのアドレスは、アドレス〔６０〕から再生され、アドレス〔１００〕までの連続領域に書き込まれたデータが再生されることになる。
【００８５】
図１１は、コントロールパネル４の構成の一例を示す。コントロールパネル４は、スイッチボード部１２０およびＣＰＵボード部１２１とからなり、さらに、ＬＣＤ(Liquid Crystal Display)１１３と、ＣＰＵボード１２１とＬＣＤ１１３とのインターフェイスであるＬＣＤ  Ｉ／Ｆ１１２とを有する。ＬＣＤ１１３は、コントロールパネル４における表示部２００に対応する。
【００８６】
ＣＰＵボード部１２１において、バス１５０Ａに対してメインＣＰＵ１００、ＲＯＭ１０１、ＲＡＭ１０２およびＤＰＲＡＭ（デュアルポートＲＡＭ）１０３が接続される。メインＣＰＵ１００は、ＲＯＭ１０１に予め書き込まれているプログラムデータに基づき動作し、外部からのコマンドを受け取りプロセスに関する処理を行う。ＲＡＭ１０２は、ＣＰＵ１００のワークメモリである。メインＣＰＵ１００に対して、データの書き替が可能で読み出し専用のメモリであるＮＡＮＤフラッシュメモリ１１６が接続される。また、メインＣＰＵ１００に対して、後述のサブＣＰＵ１０８で生成された内部同期信号（ＩＮＴ  ＳＹＮＣ）が供給される。
【００８７】
ＤＰＲＡＭ１０３は、互いに独立してデータの入出力が可能な２つの入出力ポートを有するＲＡＭである。メインＣＰＵ１００と、後述するサブＣＰＵ１０８との間での通信は、全てこのＤＰＲＡＭ１０３を介して行われる。
【００８８】
一方、ＣＰＵボード１２１において、バス１５０Ｂに対してサブＣＰＵ１０８、ＲＯＭ１０９、ＲＡＭ１１０および上述のＤＰＲＡＭ１０３が接続される。サブＣＰＵ１０８は、ＲＯＭ１０９に予め書き込まれているプログラムデータに基づき動作し、周辺の構成の制御を行う。ＲＡＭ１１０は、サブＣＰＵ１０８のワークメモリである。また、サブＣＰＵ１０８に対して、後述するキャプチャコントローラ１０６から出力された外部同期信号（ＥＸＴ  ＳＹＮＣ）が供給される。さらに、サブＣＰＵ１０８によって、上述した内部同期信号が生成される。
【００８９】
さらにまた、サブＣＰＵ１０８に対して、イーサネット規格の通信のインターフェイスであるイーサＩ／Ｆ１１１が接続される。ＣＰＵボード１２１すなわちコントロールパネル４は、このイーサＩ／Ｆ１１１を介してインターフェイス４２と接続され、Ａ／Ｖサーバ本体と通信される。また、Ａ／Ｖサーバ本体の編集部５１からのモニタ出力ＤM が後述するキャプチャコントローラ１０６に供給される。なお、図１１では、モニタ出力ＤM とイーサＩ／Ｆ１１１への信号とが結線されているが、これは、共通のコネクタを用いることを示している。
【００９０】
また、サブＣＰＵ１０８に対して、後述するスイッチボード部１２１のインターフェイス１１４が接続される。
【００９１】
さらに、バス１５０Ｂに対して、ＬＣＤコントローラ１０４およびＬＣＤ  ＲＡＭ１０５、ならびに、キャプチャコントローラ１０６およびキャプチャＲＡＭ１０７が接続される。
【００９２】
ＬＣＤコントローラ１０４は、供給された内部同期信号に基づきＬＣＤ１１３の表示を制御する。ＬＣＤ  ＲＡＭ１０５は、ＵｐｐｅｒおよびＬｏｗｅｒの２つのメモリからなり、それぞれＬＣＤ１１３の表示領域の上半分と下半分の表示データが例えば表示位置に対応したアドレスに書き込まれる。表示データは、例えばメインＣＰＵ１００や後述するキャプチャコントローラ１０６からＬＣＤコントローラ１０４に供給される。ＬＣＤコントローラ１０４によって、ＬＣＤＲＡＭ１０５の２つのメモリの書き込みと読み出しを交互に行うことで、ＬＣＤ１１３の１画面の表示が形成される。ＬＣＤ  ＲＡＭ１０５から読み出されたデータは、バス１５２を介してＬＣＤコントローラ１０４に供給される。ＬＣＤコントローラ１０４から出力された表示データは、ＬＣＤ  Ｉ／Ｆ１１２を介してＬＣＤ１１３に供給され、所定の表示がなされる。
【００９３】
また、キャプチャコントローラ１０６には、上述したように、Ａ／Ｖサーバ本体のモニタ出力ＤM によりビデオデータが供給される。キャプチャＲＡＭ１０７は、奇数および偶数フィールドにそれぞれ対応した２つのメモリ、ＯＤＤメモリおよびＥＶＥＶメモリからなり、キャプチャコントローラ１０６は、供給されたビデオデータを、対応するフィールド毎にこれら２つのメモリを切り替えて保持し、指定されたタイミングでフィールド画像のキャプチャを行う。キャプチャＲＡＭ１０７から読み出されたビデオデータは、バス１５２を介してキャプチャコントローラ１０６に供給される。また、キャプチャコントローラ１０６では、供給されたビデオデータに基づき同期信号を生成し、外部同期信号として出力する。
【００９４】
なお、詳細は後述するが、キャプチャコントローラ１０６とＬＣＤコントローラ１０４とは、互いにバス１５１で接続されており、キャプチャコントローラ１０６に供給されたビデオデータは、例えば所定間隔で間引きされ、画サイズを縮小されててＬＣＤコントローラ１０４に供給される。これにより、表示部２００に対する動画像表示を行うことができる。
【００９５】
一方、スイッチボード部１２０において、ダイヤル２９および１０４、ソフトキーＬ１〜Ｌ１１およびＦ１〜Ｆ７、ならびに、ＳＷ／ＬＥＤ１１５がインターフェイス１１４に接続される。ダイヤル２９の回転角情報がインターフェイス１１４に供給される。ダイヤル１０４の回転角情報および押下情報がインターフェイス１１４に供給される。ソフトキーＬ１〜Ｌ１１およびＦ１〜Ｆ７の押下情報がインターフェイス１１４に供給される。一方、ＳＷ／ＬＥＤ１１５は、例えばＬＥＤ(Light Emmiting Diode)による表示手段が設けられたスイッチを含むスイッチ群である。例えばスイッチ２２〜２８、スイッチ２０３、スイッチ２０５〜スイッチ２０８がＳＷ／ＬＥＤ１１５に相当する。ＳＷ／ＬＥＤ１１５の押下情報がインターフェイス１１４に供給されると共に、インターフェイス１１４からＳＷ／ＬＥＤ１１５に対して、表示手段の表示制御信号が供給される。インターフェイス１１４は、ダイヤル２９および１０４、ソフトキーＬ１〜Ｌ１１およびＦ１〜Ｆ７、ならびに、ＳＷ／ＬＥＤ１１５から供給された各種押下情報や回転各情報などを、所定の制御信号に変換し、サブＣＰＵ１０８に供給する。
【００９６】
上述したように、表示部２００すなわちＬＣＤ１１３は、
(1) 記録再生部３３に蓄積されたＡ／Ｖファイルのリスト、
(2) Ａ／Ｖサーバに接続されたビデオカメラなどから入力された動画像、
(3) 記録開始のタイミングで取得された静止画像（スタンプ画像）、
(4) 編集時のＩＮ点およびＯＵＴ点の静止画像ならびに動画像、
などの表示を行うことができる。以下、これらの表示を行うための処理について説明する。
【００９７】
先ず、(1) の、ファイルリスト表示を行う方法について説明する。記録再生部３３に蓄積されているＡ／Ｖファイルのファイル名は、ファイル管理部４３のファイル管理情報に登録されている。例えばＡ／Ｖサーバの起動時に、コントロールパネル４内のＣＰＵボード部１２０からファイル管理部４３に対して問い合わせがなされ、ファイル管理情報が読み出される。ここでは、少なくとも、ファイル名と、そのファイルに対して所定に付加された素材番号とがファイル管理情報として読み出される。読み出されたファイル管理情報は、イーサＩ／Ｆ１１１を介してＣＰＵボード部１２０供給され、ファイルリスト情報として例えばＮＡＮＤフラッシュメモリ１１６に書き込まれる。
【００９８】
スイッチパネル部１２０において、コントロールパネル４上のスイッチ２３とスイッチ２５とが共に操作されることにより、例えばポート６０Ａに入力されているビデオデータを記録する指示が出される。この指示は、ＣＰＵボード部１２１に供給される。ＣＰＵボード部１２１では、この記録指示を受け取ったら、ファイルリスト情報に存在しないファイル名を記録ファイル名として生成する。記録指示および記録ファイル名は、ＣＰＵボード部１２１からポート６０ＡのＣＰＵ８０Ａに供給される。
【００９９】
記録ファイル名は、さらに、ファイル管理部４３に供給される。ファイル管理部４３では、ファイル管理情報として登録されているフリースペースリスト情報に基づき探された、記録再生部３３における空き領域に対して、記録ファイル名でファイルをオープンする。ポート６０Ａに入力されたビデオデータが所定の処理を介して記録再生部３３に供給され、上述の記録ファイル名でオープンされたファイルに対する記録が開始される。
【０１００】
記録が開始されると、コントロールパネル４のＣＰＵボード部１２１に対して記録ファイル名がファイル管理部４３を介して供給され、メモリ１１６上のファイルリスト情報がこの記録ファイル名を加えて更新される。更新されたファイルリスト情報は、ＤＰＲＡＭ１０３を介してＬＣＤコントローラ１０４に供給され、表示データとされてＬＣＤ  ＲＡＭ１０５のファイルリストがＬＣＤ１１３に表示される表示位置に対応したアドレスに書き込まれる。ＬＣＤＲＡＭ１０５から表示データが読み出され、ＬＣＤ  Ｉ／Ｆ１１２を介してＬＣＤ１１３に供給され、ファイルリスト表示として表示される。
【０１０１】
次に、(2) の、Ａ／Ｖサーバに接続されたビデオカメラなどから入力された動画像を表示する方法について説明する。図１２は、上述した図１１の構成を、動画像表示を行う構成を中心に表現した図である。ビデオプロセッサ１３０およびキャプチャバッファコントローラ１３１は、図１１のキャプチャコントローラ１０６に対応する。ＬＣＤメモリコントローラ１３３は、ＬＣＤコントローラ１０５に相当する。キャプチャバッファコントローラ１３１に接続される２つのバッファ１３２Ａおよび１３２Ｂは、上述のキャプチャＲＡＭ１０７の２つのメモリに対応する。バッファ１３２ＡにＯＤＤ（奇数）フィールドの画像データが格納され、バッファ１３２ＢにＥＶＥＮ（偶数）フィールドの画像データが格納される。同様に、ＬＣＤメモリコントローラ１３３に接続された２つのメモリ、メモリ１３４Ａおよび１３４Ｂは、それぞれＬＣＤ１１３のＵｐｐｅｒ部分およびＬｏｗｅｒ部分の表示データを表示位置に対応したアドレスに格納する。
【０１０２】
モニタ出力ＤM がアナログビデオ信号としてビデオ入力プロセッサ１３０に供給される。ビデオ入力プロセッサ１３０では、供給されたアナログビデオ信号をディジタルビデオデータに変換し、キャプチャバッファコントローラ１３１に供給する。このとき、ビデオ入力プロセッサにおいて入力されたアナログビデオ信号から同期信号が抽出される。抽出された同期信号は、外部同期信号としてキャプチャバッファコントローラ１３１に供給される。
【０１０３】
キャプチャバッファコントローラ１３１では、供給されたビデオデータに対して、例えば４ラインを平均化して１ラインとすると共に、水平方向にも同様な補間を行う。これにより、プロセッサ１３０に入力されたビデオ信号に対して、縦横の画サイズがそれぞれ１／４のサイズに縮小された画像データが得られる。この画像データは、キャプチャバッファコントローラ１３１の制御に基づき、奇数および偶数フィールドが交互に、バッファ１３２Ａおよび１３２Ｂの対応する側に書き込まれる。
【０１０４】
バッファ１３２Ａおよび１３２Ｂにおいて、書き込み最中ではない側のバッファから、画像データが読み出される。読み出された画像データは、ＬＣＤメモリコントローラ１３３に供給される。
【０１０５】
ＬＣＤメモリコントローラ１３１に対して、サブＣＰＵ１０８から例えばファイルリスト情報などの表示データが供給される。ＬＣＤメモリコントローラ１３３では、供給される内部同期信号に基づき、フィールド毎に、ＬＣＤ１１３のＵｐｐｅｒ領域およびＬｏｗｅｒ領域にそれぞれ対応するメモリ１３４Ａおよび１３４Ｂに、交互に表示データを書き込み、データの書き込みがなされていない側のバッファからデータを読み出す。読み出されたデータおよび内部同期信号は、出力されＬＣＤ１１３に供給される。
【０１０６】
メモリ１３４Ａおよび１３４Ｂにおいて、フィールド毎の表示データ更新の合間に、メモリ１３４Ａ、１３４ＢからＬＣＤ１１３への表示のためにデータが読み出されていないブランキング期間が存在する。バッファ１３２Ａおよび１３２Ｂに書き込まれたビデオデータは、キャプチャバッファコントローラ１３１およびＬＣＤメモリコントローラ１３３を介して、このブランキング期間を利用して、メモリ１３４Ａおよび１３４Ｂに対して書き込まれる。このとき、キャプチャバッファコントローラ１３１およびＬＣＤメモリコントローラ１３３に対して供給されるアドレスデータに基づき、ビデオデータが所定位置に表示されるように、メモリ１３４Ａおよび１３４Ｂの書き込みアドレスが制御される。
【０１０７】
このようにして、Ａ／Ｖサーバ本体からモニタ出力ＤM として供給されたビデオデータが１フィールドの遅延で以て、ＬＣＤ１１３に対して出力される。
【０１０８】
次に、(3) の、記録開始のタイミングでのスタンプ画像を表示する際の、スタンプ画像の取得について、図１１に基づいて説明する。この実施の一形態では、例えばＡ／Ｖサーバに接続されたビデオカメラから入力されたビデオデータを記録する際に、先頭画像をキャプチャしてスタンプ画像としてフラッシュメモリ１１６に保存することができる。すなわち、記録のタイミングに合わせて１フィールド分の画像データを取得し、取得された画像データを所定の方法で縮小してスタンプ画像として、記録ファイルの素材番号やファイル名などのファイル情報と対応付けてフラッシュメモリ１１６に保存する。上述したファイルリスト表示において、ファイルを選択することで、保存されたスタンプ画像を表示部２００に表示することができる。
【０１０９】
例えば、ポート６０Ａにビデオカメラを接続し、コントロールパネル４から記録を指示してビデオデータの記録を行う場合について考える。ポート６０Ａに接続されたビデオカメラから出力されるビデオデータは、常時、端子６１Ａからポート６０Ａに対して供給される。このビデオデータは、スイッチ６４の一方の入力端に入力されると共に、編集部５１に供給される。編集部５１に供給されたビデオデータは、モニタ出力ＤM として出力され、コントロールパネル４のキャプチャコントローラ１０６に供給される。そして、上述した(1) の動画表示の説明において既に述べたような処理によって、ＬＣＤ１１３に表示される。
【０１１０】
ユーザによって、コントロールパネル４の記録を指示するスイッチ２３と、再生を指示するスイッチ２５とが共に押され、スイッチ２３および２５が押されたことを示す信号がサブＣＰＵ１０８に供給される。サブＣＰＵ１０８では、この信号に基づき記録開始要求を出力する。この記録開始要求は、サブＣＰＵ１０８からＤＰＲＡＭ１０３を介してメインＣＰＵ１００に供給される。メインＣＰＵ１００では、供給された記録開始要求に基づき、例えばポート６０Ａに対する記録コマンドが発行される。記録コマンドは、イーサＩ／Ｆ１１１を介してＡ／Ｖサーバ本体に供給され、ポート６０Ａに供給される。
【０１１１】
記録コマンドが発行されると共に、、メインＣＰＵ１００からサブＣＰＵ１０８に対して、キャプチャコントローラ１０６にモニタ出力ＤM として供給されているビデオデータのキャプチャ要求が発行される。このキャプチャ要求は、記録開始が期待されるタイミングでキャプチャを行うように、コマンドが発行される。すなわち、メインＣＰＵ１００で発行される記録コマンドに基づく記録は、所定時間だけ遅延されて開始される。この遅延時間は、既知であるので、キャプチャ要求の際に、この遅延分だけ遅らせたタイミングでキャプチャを行うように指示する。
【０１１２】
この指示に基づき、サブＣＰＵ１０８は、キャプチャコントローラ１０６を制御し、ビデオデータのキャプチャを行う。すなわち、(2) の動画表示の説明で既に述べたように、ビデオデータは、常時、キャプチャコントローラ１０６およびＬＣＤコントローラ１０４を介して所定の処理をされ、ＬＣＤ１１３に供給される。したがって、キャプチャ要求に指示されるタイミングで以て、キャプチャＲＡＭ１０７に書き込まれているデータを読み出すことで、１フィールド分のビデオデータのキャプチャを行うことができる。ビデオデータがキャプチャされた画像データは、ＤＰＲＡＭ１０３を介してＲＡＭ１０３に書き込まれる。
【０１１３】
一方、ポート６０Ａにおいて、記録が正常に開始されていれば、その旨、メインＣＰＵ１００に通知される。すなわち、ポート６０Ａから記録が正常に開始されたことを示す通知と、記録を行っているファイル情報、例えば素材番号が出力され、この通知とファイル情報とがＣＰＵバス３０Ｂ、インターフェイス４２、イーサＩ／Ｆ１１１などを介してＣＰＵボード部１２０のサブＣＰＵ１０８に供給され、さらに、サブＣＰＵ１０８からＤＰＲＡＭ１０３を介してメインＣＰＵ１００に供給される。メインＣＰＵ１００では、ＲＡＭ１０２に書き込まれたキャプチャ画像データをファイル情報と関連付けて、ＮＡＮＤフラッシュメモリ１１６に保存する。
【０１１４】
なお、若し正常に記録が開始されなかったという通知をメインＣＰＵ１００が受け取った場合、ＲＡＭ１０２に書き込まれたキャプチャ画像データは、捨てられる。
【０１１５】
上述では、記録の先頭の画像をスタンプ画像として保存するように説明したが、これはこの例に限定されない。記録開始から所定の遅延を以て画像を保存するようにもできる。また、記録が終了するときの画像を保存しておくようにもできる。
【０１１６】
次に、(4) の、編集時のＩＮ点およびＯＵＴ点のスタンプ画像ならびに動画像を表示するための、スタンプ画像の取得について説明する。編集は、記録再生部３３からＡ／Ｖファイルを再生して行う。記録再生部３３で再生されたビデオデータが例えばポート６０Ｂに供給され、デコーダ６３、編集部５１を介してモニタ出力ＤM として出力される。このモニタ出力ＤM がキャプチャコントローラ１０６を介してＬＣＤ１１３に表示され、この表示に基づき編集が行われ、ＩＮ点およびＯＵＴ点が設定される。ＩＮ点およびＯＵＴ点の設定によるスタンプ画の取得の処理は、略同一の手順で行われるため、ここではＩＮ点の取得についてのみ説明する。
【０１１７】
スタンプ画像の取得は、上述した(3) の記録開始のタイミングでのスタンプ画像の取得と、略同じ方法で行われる。先ず、コントロールパネル４において、エディットキー２０３が押され、動作モードがエディットモードに設定される。
【０１１８】
なお、動作モードには、エディットモードの他に、記録やファイルからの再生を行うマテリアルモード、Ａ／Ｖサーバの諸設定を行うセットアップモードがある。
【０１１９】
スイッチ２５を押すことで、選択されたＡ／Ｖファイルが再生される。再生されたビデオデータは、上述のようにしてＬＣＤ１１３に動画表示される。ユーザは、ＬＣＤ１１３のビデオデータを見ながら、例えばスイッチ２０６ＢのＩＮ点入力スイッチを押しながらスイッチ２０７を押し、ＩＮ点を指定する。ＩＮ点指定情報は、インターフェイス１１４を介してサブＣＰＵ１０８に供給され、さらに、ＤＰＲＡＭ１０３を介してメインＣＰＵ１００に供給される。
【０１２０】
このＩＮ点指定情報に基づき、メインＣＰＵ１００からＤＰＲＡＭ１０３を介し、サブＣＰＵ１０８に対して、ＩＮ点を指定したタイミングでのキャプチャを行うようにキャプチャ要求が発行される。そして、サブＣＰＵ１０８によってキャプチャコントローラ１０６が制御されて、ビデオデータがキャプチャされる。ビデオデータがキャプチャされたスタンプ画像は、ＲＡＭ１０２に書き込まれる。そして、ＲＡＭ１０２に書き込まれたスタンプ画像は、所定の編集データを付加されてＮＡＮＤフラッシュメモリ１１６に保存される。
【０１２１】
なお、このときにスタンプ画像に付加される編集データは、例えば、保存されたスタンプ画像のＩＮ点およびＯＵＴ点の区別と、ページ番号である。ページ番号は、１編集カットに相当するデータであって、編集先の素材での編集カットの順番を表す。
【０１２２】
図１３〜図１５は、上述のようにして得られたファイルリスト情報、動画像、スタンプ画像が表示された表示部２００の例を示す。図１３は、ファイルリスト情報から選択されたファイルのスタンプ画像を表示した例である。これは、マテリアルモードによる表示画面の例である。
【０１２３】
表示部２００において、左端に、ソフトキーＬ１〜Ｌ１１に対応したメニュー３００が表示され、下端に、ソフトキーＦ１〜Ｆ７に対応したメニュー３０１が表示される。表示画面２００の上部は、ポート選択スイッチ２２で選択されたポートの情報が表示されるポート情報表示領域３１０となっている。各ポート６０Ａ〜６０ＤのＣＰＵ８０Ａ〜８０Ｄでは、常時自身のポートの状態を監視しており、ポート状態を示す情報がＣＰＵバス３０Ｂ、インターフェイス４２を介してコントロールパネル４に供給される。
【０１２４】
表示部２００の略下半分がファイルリスト表示３０２となっている。素材番号、ファイル名およびファイルの更新日時が一覧で表示される。選択されたファイル名が強調されて表示される。選択ファイルは、コントロールパネル４上のダイヤル２０４を回転させることで、回転の方向に応じて順次、変更することができる。ここで、例えばメニュー３００の上から２番目の「Ｎａｍｅ」に対応するソフトキーＬ２を押すと、選択されたファイルのファイル名を変更することができる。
【０１２５】
また、選択されたファイルのスタンプ画像が表示領域３０３に表示されている。さらに、当該ファイルのファイル情報が表示領域３０４に表示されている。ダイヤル２０４の操作に基づき、インターフェイス１１４から制御コマンドがサブＣＰＵ１０８に供給され、サブＣＰＵ１０８からＤＰＲＡＭ１０３を介してこの制御コマンドがメインＣＰＵ１００に供給される。メインＣＰＵ１００では、この制御コマンドに基づき、選択されたファイルの素材番号に対応したスタンプ画像をＮＡＮＤフラッシュメモリ１１６から読み出す。読み出されたスタンプ画像は、ＤＰＲＡＭ１０３に供給される。ＤＰＲＡＭ１０３に書き込まれたスタンプ画像は、サブＣＰＵ１０８によって、ＬＣＤ  ＲＡＭ１０５のスタンプ画像を表示する表示領域に対応したアドレスに書き込まれる。ＬＣＤ  ＲＡＭ１０５のデータがＬＣＤコントローラ１０４に読み出され、ＬＣＤ  Ｉ／Ｆ１１２を介してＬＣＤ１１３に表示される。
【０１２６】
ファイルリスト表示３０２に基づくスタンプ画像３０３が表示されるこの例では、スタンプ画像３０３とポート情報表示領域３１０とが明確に分離されている。
【０１２７】
図１４は、上述のスタンプ画像３０３の代わりに、モニタ出力ＤM による動画像３０６を表示させた例である。例えばポート選択スイッチ２２で選択されたポート６０Ａに接続されたビデオカメラによる映像が、上述した(2) の動画像表示処理に基づき動画像３０６として表示される。この動画像３０６を表示する例では、上述のスタンプ画像３０３を表示する例とは異なり、ポート情報表示領域３１０と動画像３０６とが互いに関連性のある情報を表示しているものとして、表示領域３０７によって連結されて表示されている。
【０１２８】
なお、上述の図１３と図１４の例において、スタンプ画像３０３や動画像３０６の表示が不要な場合には、これらを表示させないようにし、代わりに、ファイルリスト表示３０２の表示領域を大きく取るようにすることが可能である。例えば、メニュー３０１におけるソフトキーＦ７（Ｓｅｌｅｃｔ  Ａｃｔｉｖｅ）を操作することで、この表示の切り替えを行うことができる。
【０１２９】
図１５は、エディットモードによる編集画面である。ここでは説明のため、ＩＮ点およびＯＵＴ点を設定する例について説明する。上述の図１３や図１４の状態から、例えばエディットスイッチ２０３を押すことで、選択されたファイルに対する編集を行うことができるようになる。ＩＮ点画像表示領域３２０およびＯＵＴ点画像表示領域３２１とが設けられる。また、ソフトキーＬ１〜Ｌ１１、Ｆ１〜Ｆ７に対応するメニューがメニュー３００’および３０１’のように、上述の図１３および図１４とは異ならされており、マテリアルモードとは異なる機能が使用できるようにされている。
【０１３０】
この図では、ＩＮ点およびＯＵＴ点が既に設定されているが、何も設定がなされていない場合には、先ず、ＩＮ点は、選択されたファイルの再生画像がＩＮ点画像表示領域３２０に動画像で表示され、ＯＵＴ点画像表示領域３２１は、何も表示されない。表示領域３２０の動画像を見ながら、上述した(4) の、ＩＮ点、ＯＵＴ点のキャプチャ方法に従いＩＮ点を設定する。ＩＮ点が設定されると、ＩＮ点としてキャプチャされたスタンプ画像がＮＡＮＤフラッシュメモリ１１６から読み出され、表示領域３２０に表示される。
【０１３１】
それと共に、表示領域３２１には、再生画像が動画像で表示される。ＩＮ点の場合と同様にして、表示領域３２１の動画像を見ながらＯＵＴ点を設定すると、表示領域３２１には、ＯＵＴ点としてキャプチャされたスタンプ画像が表示される。
【０１３２】
なお、表示領域３２２には、設定されたＩＮ点およびＯＵＴ点の情報が表示される。また、表示領域３２３には、上述したページ番号など、所定の編集情報が表示される。
【０１３３】
図１５では、ＩＮ点およびＯＵＴ点の設定についてのみ説明したが、これはこの例に限定されない。すなわち、表示部２００には、モニタ出力ＤM として出力される映像は全て表示可能なので、例えば、特殊効果部３９を用いて行われた編集画像をこの表示画面２００に表示させることも可能である。
【０１３４】
【発明の効果】
以上説明したように、この発明によれば、Ａ／Ｖサーバを操作するためのコントロールパネルに対して、モニタ画像の表示や各ポートの動作状態を表示する表示部が設けられている。そのため、別途にモニタを用意しなくても。Ａ／Ｖサーバ単体で各ポートでの記録再生中の映像を確認できると共に、サーバに蓄積されたファイルの編集や管理を行うことができるという効果がある。
【０１３５】
また、Ａ／Ｖサーバ単体でモニタや編集が行えるため、Ａ／Ｖサーバの可搬性が向上し、省スペースで使用することが可能となり、野外や中継車などでの使用が容易になるという効果がある。
【０１３６】
さらに、Ａ／Ｖサーバを操作するためのコントローラ部にモニタ表示などを行う表示部が設けられているため、操作の際に視線を変えることが少なくなり、操作性が向上するという効果がある。
【０１３７】
さらにまた、この実施の一形態では、表示部に対するモニタ映像やスタンプ画像を表示させないようにできるため、表示部を全面的にデータ表示などに用いることができ、操作性が向上するという効果がある。
【図面の簡単な説明】
【図１】発明の一実施の形態に係るデータ記録再生装置の外観を示す斜視図である。
【図２】メータパネルとコントロールパネルにおける主要な部分を示す正面図である。
【図３】コントロールパネルの主要な部分をさらに詳細に示す略線図である。
【図４】実施の一形態に係るデータ記録再生装置の回路構成を示すブロック図である。
【図５】ファイルエントリ情報、レコードエントリ情報およびフリースペース情報のそれぞれの構造を概略的に示す略線図である。
【図６】レコードエントリ情報によるファイルのアクセスについて概略的に示す略線図である。
【図７】仮想ファイルＶＦＬの構造の一例を示す略線図である。
【図８】仮想ファイルＶＦＬの記述の一例を示す略線図である。
【図９】仮想ファイルＶＦＬを用いて、異なる領域に分断されて書き込まれたファイルを再生する処理を説明するための略線図である。
【図１０】仮想ファイルＶＦＬの記述の他の例を示す略線図である。
【図１１】コントロールパネルの構成の一例を示すブロック図である。
【図１２】コントロールパネルの構成を動画像表示を行う構成を中心に表現したブロック図である。
【図１３】表示部の表示の例を示す略線図である。
【図１４】表示部の表示の例を示す略線図である。
【図１５】表示部の表示の例を示す略線図である。
【符号の説明】
１・・・データ記録再生装置、２・・・筐体、３・・・メータパネル、４・・・コントロールパネル、１１・・・表示部、３０・・・内部バス、３１・・・タイミング管理部、３２・・・情報管理部、３３・・・記録再生部、３４Ａ〜３４Ｄ・・・データ管理部、３６・・・制御部、３７Ａ〜３７Ｄ・・・データ入出力部、３９・・・特殊効果部、４１・・・タイミングパルス発生器、４５，４６・・・ＨＤＤ、５１・・・編集部、６０Ａ〜６０Ｄ・・・ポート、６１Ａ〜６１Ｄ・・・端子、１００・・・メインＣＰＵ、１０３・・・ＤＰＲＡＭ、１０４・・・ＬＣＤコントローラ、１０５・・・ＬＣＤ  ＲＡＭ、１０６・・・キャプチャコントローラ、１０７・・・キャプチャＲＡＭ、１０８・・・サブＣＰＵ、１１１・・・イーサＩ／Ｆ、１１３・・・ＬＣＤ、１１６・・・ＮＡＮＤフラッシュメモリ、２００・・・表示部、３０２・・・ファイルリスト表示、３０３・・・スタンプ画像、３１０・・・ポート情報表示領域、３０６・・・動画像、ＩＮ点画像表示領域、３２１・・・ＯＵＴ点画像表示領域
【図１】
0004253912.tif 000002
【図２】
0004253912.tif 000003
【図３】
0004253912.tif 000004
【図４】
0004253912.tif 000005
【図５】
0004253912.tif 000006
【図６】
0004253912.tif 000007
【図７】
0004253912.tif 000008
【図８】
0004253912.tif 000009
【図９】
0004253912.tif 000010
【図１０】
0004253912.tif 000011
【図１１】
0004253912.tif 000012
【図１２】
0004253912.tif 000013
【図１３】
0004253912.tif 000014
【図１４】
0004253912.tif 000015
【図１５】
0004253912.tif 000016